(57)【要約】【課題】所望する画像を検索する際や画像の整理などを行なう際にユーザが直感的に画像を取り扱えるユーザインターフェースを実現可能な画像表示装置およびプログラムを提供する。【解決手段】画像データ取得手段３７ａは画像データと前記画像データが撮影された日時情報とが関連付けられた画像データを取得する。日時情報読取手段３７ｂは、日時情報を読み取り、サムネイル生成手段３７ｃは、画像データを示すサムネイル画像を生成する。テンプレート制御手段３７ｄは、テンプレートを日時情報に基づき、画像データが撮影された日時からの経過時間が短いと大きく動かし、前記経過時間が長いと小さく動かす又は動かさない制御を行う。表示制御装置３７ｅは、動きを制御されたテンプレートにサムネイル画像を合成して表示する。【選択図】図５
2006243799.tif 000002
【特許請求の範囲】
【請求項１】
画像データと前記画像データが撮影された日時情報とが関連付けられた画像データを取得する画像データ取得手段と、
前記日時情報を読み取る日時情報読取手段と、
前記画像データを示すサムネイル画像を取得するサムネイル取得手段と、
前記サムネイル画像と合成するテンプレート又は前記サムネイル画像を、前記日時情報読取手段により取得した日時情報に基づき、前記画像データが撮影された日時からの経過時間に応じて動きの大きさを変える制御を行う画像制御手段と、
前記画像制御手段により動きを制御された前記テンプレート又は前記サムネイル画像を表示する表示制御手段と、
を備える画像表示装置。
【請求項２】
前記画像制御手段は、前記画像データが撮影された日時からの経過時間が短いと大きく動かし、前記経過時間が長いと小さく動かす又は動かさない制御を行う、請求項１に記載の画像表示装置。
【請求項３】
前記画像制御手段は、前記画像データが撮影された日時からの経過時間が長いと大きく動かし、前記経過時間が短いと小さく動かす又は動かさない制御を行う、  請求項１に記載の画像表示装置。
【請求項４】
画像データと前記画像データが撮影された日時情報とが関連付けられた画像データを取得する画像データ取得手段と、
前記日時情報を読み取る日時情報読取手段と、
前記画像データを示すサムネイル画像を取得するサムネイル取得手段と、
前記日時情報読取手段により取得した日時情報に基づき、前記画像データが撮影された日時からの経過時間が長いほど、より前記サムネイル画像をぼかす処理を行う画像加工手段と、
前記画像加工手段によりぼかす処理が施された前記サムネイル画像を表示する表示制御手段と、
を備える画像表示装置。
【請求項５】
画像データと前記画像データが撮影された日時情報とが関連付けられた画像データを取得する画像データ取得ステップと、
前記日時情報を読み取る日時情報読取ステップと、
前記画像データを示すサムネイル画像を取得するサムネイル取得ステップと、
前記サムネイル画像と合成するテンプレート又は前記サムネイル画像を、前記日時情報読取手段により取得した日時情報に基づき、前記画像データが撮影された日時からの経過時間に応じて動きの大きさを変える制御を行う画像制御ステップと、
前記画像制御ステップにより動きを制御された前記テンプレート又は前記サムネイル画像を表示する表示制御ステップと、
をコンピュータに実行させる画像表示プログラム。
【請求項６】
画像データと前記画像データが撮影された日時情報とが関連付けられた画像データを取得する画像データ取得ステップと、
前記日時情報を読み取る日時情報読取ステップと、
前記画像データを示すサムネイル画像を取得するサムネイル取得ステップと、
前記日時情報読取ステップにおいて取得された日時情報に基づき、前記画像データが撮影された日時からの経過時間が長いほど、より前記サムネイル画像をぼかす処理を行う画像加工ステップと、
前記画像加工ステップによりぼかす処理が施された前記サムネイル画像を表示する表示制御ステップと、
をコンピュータに実行させる画像表示プログラム。
【発明の詳細な説明】
【技術分野】
【０００１】
本発明は画像表示装置及び画像表示プログラムに係り、特にデジタルカメラ等によって記録された電子画像ファイルを再生表示する機能を備えた装置、及びコンピュータプログラムに関する。
【背景技術】
【０００２】
特許文献１に示された電子アルバム装置は、各画像データに付属されるファイル名、日付などの基本属性から、所定のカテゴリーで自動分類し、画面上にサムネイル画像（縮小画像）と、そのグループに属する画像の枚数、撮影日時を共に表示する。
【特許文献１】特開２００３−１９９０２８号公報
【発明の開示】
【発明が解決しようとする課題】
【０００３】
ところで、近年、パーソナルコンピュータやデジタルカメラ等が普及しており、撮影した画像データを家庭等で手軽に管理することができる。また、最近のハードディスクやメモリカード等の記憶媒体の大容量化により、大量の画像データを保存することができる。しかしながら、大量の画像データを整理するのは難しく、必要な画像データが大量の画像データに埋もれてしまい、探し出すのが困難になるという問題がある。
【０００４】
上記の特許文献１に開示された電子アルバム装置は、撮影日時を表示するため、この撮影日時を確認すれば画像データがいつ撮影できたかを視認することができる。しかし、サムネイル表示がたくさんある場合に、撮影日時を一つ一つ視認していくのは困難である。
本発明はこのような事情に鑑みてなされたもので、所望する画像を検索する際や画像の整理などを行なう際にユーザが直感的に画像を取り扱えるユーザインターフェースを実現可能な画像表示装置およびプログラムを提供することを目的とする。
【課題を解決するための手段】
【０００５】
前記目的を達成するために本発明に係る画像表示装置は、画像データと前記画像データが撮影された日時情報とが関連付けられた画像データを取得する画像データ取得手段と、前記日時情報を読み取る日時情報読取手段と、前記画像データを示すサムネイル画像を取得するサムネイル取得手段と、前記サムネイル画像と合成するテンプレート又は前記サムネイル画像を、前記日時情報読取手段により取得した日時情報に基づき、前記画像データが撮影された日時からの経過時間に応じて動きの大きさを変える制御を行う画像制御手段と、前記画像制御手段により動きを制御された前記テンプレート又は前記サムネイル画像を表示する表示制御手段と、を備える。
【０００６】
画像ファイルの「日時情報」は、ファイルのヘッダー等に記録されているタグ情報から取得してもよいし、ファイルシステムに登録されるタイムスタンプから取得してもよい。
【０００７】
ここでいう「サムネイル取得手段」には、画像データのヘッダー情報にサムネイル画像が付加されている場合（例えばＥｘｉｆ形式で記録された画像データ）に、そのサムネイル画像を読み取る手段と、画像データにサムネイル画像が付加されているまたはいないに関わらず、画像データに基づいてサムネイル画像を生成する手段と、がある。
【０００８】
本発明により、撮影日時からの経過時間に応じてサムネイル画像またはテンプレートの動きが異なる。そのため、テンプレートの動きを見れば、撮影日時からの経過時間が直感的に理解できる。
【０００９】
また、前記画像制御手段は、前記画像データが撮影された日時からの経過時間が短いと大きく動かし、前記経過時間が長いと小さく動かす又は動かさない制御を行ってもよい。
これにより、経過時間が短いほど、サムネイル画像は大きく動かされたり、動きが大きいテンプレートと合成表示されたりする。そのため、ユーザに動きの大きさと新鮮度とを連想させ、新しい画像は鮮度がよく動きが大きいというイメージを抱かせ、撮影日時からの経過時間を直感的に理解させることができる。
【００１０】
また、前記画像制御手段は、前記画像データが撮影された日時からの経過時間が長いと大きく動かし、前記経過時間が短いと小さく動かす又は動かさない制御を行ってもよい。
これにより、経過時間が長いほど、サムネイル画像は大きく動かされたり、動きが大きいテンプレートと合成表示されたりする。そのため、ユーザに動きの大きさと処理の必要性（例えば、画像プリントさせたり、画像データを保存・整理させたりする必要性）とを連想させ、時間が経っている画像ほど早急な処理を要求しているイメージを抱かせ、撮影日時からの経過時間を直感的に理解させることができる。
【００１１】
また、本発明に係る画像表示装置は、画像データと前記画像データが撮影された日時情報とが関連付けられた画像データを取得する画像データ取得手段と、前記日時情報を読み取る日時情報読取手段と、前記画像データを示すサムネイル画像を取得するサムネイル取得手段と、前記日時情報読取手段により取得した日時情報に基づき、前記画像データが撮影された日時からの経過時間が長いほど、より前記サムネイル画像をぼかす処理を行う画像加工手段と、前記画像加工手段によりぼかす処理が施された前記サムネイル画像を表示する表示制御手段と、を備える。
【００１２】
これにより、撮影日時からの経過時間が短い画像データを示すサムネイル画像は鮮明に表示され、経過時間が長い画像データを示すサムネイル画像はぼかして表示される。そのため、サムネイル画像のボケ具合から撮影日時からの経過時間が直感的に理解できる。
【００１３】
本発明に係る画像表示プログラムは、画像データと前記画像データが撮影された日時情報とが関連付けられた画像データを取得する画像データ取得ステップと、前記日時情報を読み取る日時情報読取ステップと、前記画像データを示すサムネイル画像を取得するサムネイル取得ステップと、前記サムネイル画像と合成するテンプレート又は前記サムネイル画像を、前記日時情報読取手段により取得した日時情報に基づき、前記画像データが撮影された日時からの経過時間に応じて動きの大きさを変える制御を行う画像制御ステップと、前記画像制御ステップにより動きを制御された前記テンプレート又は前記サムネイル画像を表示する表示制御ステップと、をコンピュータに実行させる。
【００１４】
ここでいう「サムネイル取得ステップ」には、画像データのヘッダー情報にサムネイル画像が付加されている場合（例えばＥｘｉｆ形式で記録された画像データ）に、そのサムネイル画像を読み取るステップと、画像データにサムネイル画像が付加されているまたはいないに関わらず、画像データに基づいてサムネイル画像を生成するステップと、がある。
【００１５】
本発明に係る画像表示プログラムは、画像データと前記画像データが撮影された日時情報とが関連付けられた画像データを取得する画像データ取得ステップと、前記日時情報を読み取る日時情報読取ステップと、前記画像データを示すサムネイル画像を取得するサムネイル取得ステップと、前記日時情報読取ステップにおいて取得された日時情報に基づき、前記画像データが撮影された日時からの経過時間が長いほど、より前記サムネイル画像をぼかす処理を行う画像加工ステップと、前記画像加工ステップによりぼかす処理が施された前記サムネイル画像を表示する表示制御ステップと、をコンピュータに実行させる。
【発明の効果】
【００１６】
上記発明により、画像データを示すサムネイル画像を撮影日時からの経過時間に応じて動きを変えたりぼけさせたりして表示する。これにより、撮影日時からの経過時間を直感的に把握することができる画像表示装置及び画像表示プログラムを提供することができる。
【発明を実施するための最良の形態】
【００１７】
以下添付図面に従って本発明の好ましい実施の形態について詳説する。
【００１８】
［概略構成］
図１は本発明の実施形態に係る電子アルバムシステムの概要を示す概念図である。
【００１９】
電子アルバム１００は、デジタルカメラ４１や携帯電話４２で撮影した画像を収集・整理・保存・閲覧・プリントすることができる家庭用デジタル画像アルバムサーバ（以下「電子アルバム」という。）である。
【００２０】
電子アルバム１００は、デジタルカメラ４１とＵＳＢポートを介して接続し、デジタルカメラに挿入されたスマートメディア４０に記録された画像データを読み取る。また、電子アルバム１００は、ＣＤ／ＤＶＤドライブを備え、ＣＤ／ＤＶＤドライブからＣＤやＤＶＤ４０から画像データを読み取ったり、画像データを書き込んだりする。また、電子アルバム１００は、携帯電話４２と赤外線通信（ＩｒＤＡ）を行い、携帯電話４２から画像データを取得することができる。
【００２１】
電子アルバム１００は、プリンタ機能を備え、電子アルバム１００に記録されたデジタル画像をプリントアウトすることができる。また、電子アルバム１００は、映像出力端子（ライン端子）を備え、テレビに接続できる。これにより、電子アルバム１００に記録された画像をテレビに表示することができる。
【００２２】
［機能構成］
図２は、本発明に係る電子アルバム１００の機能ブロック図である。
【００２３】
電子アルバム１００は、ＭＣＵ（Microcontroller Unit、所謂ワンチップマイコン）などで構成され各種演算及び演算に必要なデータの一時記憶を行なう制御部７と、表示コントローラ３２と、Ｒ／Ｗ制御部３３と、通信インターフェース（Ｉ／Ｆ）２３を介して通信を行う通信部３５と、内蔵バッテリーや家庭用電源などにより電子アルバム１００の各所に電力を供給する電力供給部２６と、半導体記憶装置やハードディスクユニットなどで構成された大容量の記憶装置３６と、ＲＡＭ８に記憶された画像に所定の画像加工処理を実行する画像処理部３７とを備える。制御部７、ＲＡＭ８、ＥＥＰＲＯＭ９、プリンタ部２５、通信部３５、記憶装置３６、Ｒ／Ｗ制御部３３、表示コントローラ３２、電力供給部２６及び画像処理部３７はバス３４で接続されている。
【００２４】
電力供給部２６は待機状態即ち電子アルバム１００が使用されていない場合でも制御部７に電力を供給することができる。その他の各所への電力供給は制御部７の指示に応じて開始・終了する。各所への電力供給が行われている状態即ち電子アルバム１００が使用されている状態を動作状態という。
【００２５】
制御部７は、選択ボタン１７、ページ送りボタン１８、電源ボタン１９からなる操作部１６と、挿抜検出部２４と接続されており、各部からの信号を入力する。電源ボタン１９は、電力供給部２６に電力供給のオン・オフを指示するスイッチであり、電源オン・オフを示す信号を制御部７に入力する。選択ボタン１７は、記憶媒体４０から読み込んだ画像の選択など各種の選択を行うスイッチであり、特に用途は限定されない。ページ送りボタン１８は図示しない順送りスイッチと逆送りスイッチとを有している。
【００２６】
挿抜検出部２４はＳＤカード、メモリスティック、コンパクトフラッシュ（登録商標）、スマートメディアなどの記憶媒体４０がメディアスロット（挿入口）に挿入されたことまたはメディアスロットから取り出されたことを検出する。挿抜検出部２４はＲ／Ｗ制御部３３に設けてもよい。
【００２７】
Ｒ／Ｗ制御部３３は、図示しないメディアスロットに挿入された記憶媒体４０に記憶される画像を読み出し、また画像を記憶媒体４０に書き込む。画像は通信部３５から受信してもよく、以下の記述において記憶媒体４０に記憶される画像を通信部３５が受信した画像と置き換えても電子アルバム１００の動作内容は同様である。
【００２８】
通信Ｉ／Ｆ２３は、赤外線通信を行なうためのＩｒＤＡポート、ＵＳＢポートなどにより構成され、携帯電話４２との赤外線通信や、デジタルカメラ４１とのＵＳＢ接続に使用する。通信部３５は、通信Ｉ／Ｆ２３を介しての画像データの送受信などの通信を制御する。
【００２９】
表示コントローラ３２は、映像出力端子などからなる表示インターフェース（Ｉ／Ｆ）３１を介して、記憶媒体４０や記憶装置３６から読み込んだ画像をテレビ５０に表示させる。
【００３０】
記憶装置３６は大容量のハードディスクユニットなどで構成され、記憶媒体４０から読み込まれた画像データや通信部３５の受信した画像データを記憶する。
【００３１】
画像処理部３７はＭＣＵ、ＣＰＵ、などで構成される演算回路であって、ＥＥＰＲＯＭ９に記録された画像処理プログラムを適宜ＲＡＭ８上にロードし、ＲＡＭ８上の画像データに画像処理を施す。
【００３２】
プリンタ部２５は、記録媒体４０や記憶装置３６に格納されている画像データをＴＡペーパーなどの印刷媒体にプリントする。プリンタ部２５は、ＴＡ方式と呼ばれる印画方式を採用したもので、熱を加えると発色し、所定の波長の光を照射すると定着するという特性を有するＴＡペーパーを使用する。
【００３３】
［第一実施形態］
図３は画像処理部３７の実行するプログラムを示すブロック図である。画像処理部３７は、プログラムである画像データ取得部３７ａ、日時情報読取部３７ｂ、サムネイル取得部３７ｃ、テンプレート制御部３７ｄ、画像合成部３７ｅ、表示制御部３７ｆを実行する。これらのプログラムはＥＥＰＲＯＭ９に記憶されており、画像処理部３７が適宜プログラムをＲＡＭ８にロードして実行する。これらのプログラムにより実行する処理の内容の詳細は後述する。
【００３４】
図４は、本実施形態において表示される画面表示例を示す。
【００３５】
各サムネイル画像６０，６１，６２，６３は、それぞれアルバムとアルバム収納箱とを表現したテンプレート７０，７１，７２，７３と画像合成される。テンプレート７０，７１，７２，７３は同じ図柄により構成されるが、各テンプレートに合成されるサムネイル画像６０，６１，６２，６３の基となる画像データの撮影日時からの経過時間によって、動きの大小が異なる。図４では、テンプレート７０の動きが最も大きく、ついでテンプレート７１，７２，７３と続く。テンプレート７３は、微細な動きをさせてもよいし動かさなくても良い。
【００３６】
次に図５に基づいて、本実施形態に係るサムネイル画像表示の処理の流れを説明する。
【００３７】
Ｓ５０１では、画像データ取得部３７ａが記憶装置３６から画像データを読み出す。画像データを読み出すタイミングは、システム起動時、あるいは１日１回、指定の時刻と定めても良い。
【００３８】
Ｓ５０２では、日時情報読取部３７ｂが、画像データのファイルのヘッダー等に記録されているタグ情報や、ファイルシステムに登録されるタイムスタンプから、撮影された日時情報を読み出す。
【００３９】
Ｓ５０３では、サムネイル取得部３７ｃが、読み出した画像データのサムネイル画像を取得する。サムネイル画像が画像データに含まれる場合には、画像データからサムネイル画像を読み出す。またサムネイル取得部３７ｃは、サムネイル画像が画像データに含まれない場合またはサムネイル画像が含まれている場合であってもそのサムネイル画像を読み出すことなく、画像データに基づいてサムネイル画像を生成してもよい。
【００４０】
Ｓ５０４では、テンプレート制御部３７ｄは、記憶装置３６からテンプレートを読み出すとともに、日時情報読取部３７ｂが読み取った日時情報に基づいて撮影日時からの経過時間を算出する。そして、その経過時間に応じてテンプレートの動きを決定する。経過時間が短いほど動きが大きく、経過時間が長いほど動きが小さくなるようにテンプレートの動きを決定する。動きの大小は、動きの振幅を広狭したり、動きのテンポを早くしたり遅くしたりして表現する。図６は、経過時間（Ｔ）とテンプレートの動きとの関係を示す模式図である。経過時間（Ｔ）が長くなるにつれてテンプレートが動くテンポはだんだんゆるくなる。図６では、テンポパターンとして、３０日未満では毎秒２回動き、以後３０日経過する毎に毎秒１回、０．５回、０．２５回、動きなしと規定している。また、振幅パターン１は、３０日未満では２ｃｍ動き、以後３０日経過する毎に１ｃｍ、０．５ｃｍ、０．２５ｃｍ、動きなしとするパターンを示す。振幅パターン２は、経過時間に応じて無段階または１日刻みで振幅を少なくするパターンを示す。テンプレート制御部３７ｄは、テンポパターン、振幅パターン１、振幅パターン２のうちからいずれかを選択してテンプレートの動きを制御してもよいし、テンポパターンと振幅パターン１又は振幅パターン２のいずれか一つとを組み合わせてテンプレートの動きを制御してもよい。
【００４１】
Ｓ５０５では、画像合成部３７ｅが、テンプレート制御部３７ｄにより動かされたテンプレート７０，７１，７２，７３と静止したサムネイル画像６０，６１，６２，６３とを合成した合成画像を生成する。表示制御手段３７ｆは、その合成画像をテレビ５０に表示する。
【００４２】
本実施形態により、サムネイル画像が示す画像データの撮影日時からの経過時間に応じてテンプレートの動きを変えて画像を表示することができる。そのため、撮影日時をテンプレートの動きの大きさから直感的に把握することができる。また、テンプレートのみを動かし、サムネイル画像は静止させるため、サムネイル画像の視認が容易に行なえる。
【００４３】
また、本実施形態では、撮影時からの経過時間が短いほどサムネイル画像またはテンプレートの動きを大きくしたが、これとは反対に、撮影時からの経過時間が長いほどサムネイル画像またはテンプレートの動きを大きくしてもよい。例えば、撮影時からの経過時間が１２０日以上の場合は毎秒２回動き、以後３０日遡る毎に毎秒１回、０．５回、０．２５回、動きなしと規定してもよい。また、上記振幅パターン１を用いる場合は、１２０日以上では２ｃｍ動き、以後３０日遡る毎に１ｃｍ、０．５ｃｍ、０．２５ｃｍ、動きなしとしてもよい。更に、上記振幅パターン２を用いる場合は、経過時間に応じて無段階または１日刻みで経過日数が短いほど振幅を少なくしてもよい。
【００４４】
［第二実施形態］
図７は第二実施形態に係る電子アルバム１００の画像処理部３７が実行するプログラムを示すブロック図である。画像処理部３７は、プログラムである画像データ取得部３７ａ、日時情報読取部３７ｂ、サムネイル取得部３７ｃ、画像加工部３７ｇ、表示制御部３７ｆを実行する。これらのプログラムはＥＥＰＲＯＭ９に記憶されており、画像処理部３７が適宜プログラムをＲＡＭ８にロードして実行する。これらのプログラムにより実行する処理の内容の詳細は後述する。
【００４５】
図８は、本実施形態において表示される画面表示例を示す。
【００４６】
サムネイル画像６０，６１，６２，６３は、各サムネイル画像６０，６１，６２，６３の基となる画像データの撮影日時からの経過時間によって、よりぼけた画像に加工される。最も鮮明な画像は、サムネイル画像６０であり、サムネイル画像６１，６２，６３と続く。
【００４７】
次に図９に基づいて、本実施形態に係るサムネイル画像表示の処理の流れを説明する。
【００４８】
Ｓ９０１乃至Ｓ９０３では、Ｓ５０１乃至Ｓ５０３と同様の処理を行う。すなわち、画像データ取得部３７ａが記憶装置３６から画像データを読み出し（Ｓ９０１）、日時情報読取部３７ｂが、画像データが撮影された日時情報を読み取る（Ｓ９０２）。サムネイル取得部３７ｃは、読み出した画像データについてのサムネイル画像を取得する（Ｓ９０３）。
【００４９】
Ｓ９０４では、画像加工部３７ｇが、日時情報読取部３７ｂが読み取った日時情報に基づいて撮影日時からの経過時間（Ｔ）を算出する。そして、その経過時間（Ｔ）に応じてサムネイル画像に対してぼかし処理を行う（Ｓ９０４）。図１０は画像加工部３７ｇがサムネイル画像に対して施すぼかしレベル（ぼかし強度）を説明した模式図である。画像加工部３７ｇは、撮影当日（Ｔ0）からの経過時間が３０日まではサムネイル画像にぼかし処理を行わない。経過時間（Ｔ）が３０日以上６０日未満の場合は、ぼかしレベル１（微弱）のぼかし処理を行う。６０日以上９０日未満の場合は、ぼかしレベル２（弱）、９０日以上１２０日未満は、ぼかしレベル３（中）、１２０日以上経過した画像を示すサムネイル画像はぼかしレベル４（強）とする。ぼかしレベルと経過時間との対応関係は、上記の例に限定されない。
【００５０】
Ｓ９０５では、画像加工部３７ｇは、ぼかし処理後のサムネイル画像を記憶装置３６に保存する。
【００５１】
Ｓ９０６では、ユーザがサムネイル画像を見たいときに、表示制御手段３２ｆが記憶装置３６からぼかし処理が行われたサムネイル画像を読み出し、そのサムネイル画像を並べた一覧表示画像としてテレビ５０に出力し表示する。
【００５２】
本実施形態により、撮影日時からの経過時間に応じてぼかし強度を変えたサムネイル画像を表示する。これにより、ユーザは、サムネイル画像を見れば直感的に撮影時からの経過時間を把握することができる。
【００５３】
図９では、予めぼかし処理を行なったサムネイル画像を作って記憶装置３６に格納しておき、サムネイル画像を表示させるときに記憶装置３６から読み出した。しかし、サムネイル画像を表示させるときにぼかし処理を施したサムネイル画像の一覧表示画像を生成しても良い。以下、図１１に沿ってサムネイル画像表示時に一覧表示画像を生成する処理の流れを説明する。図１１は、サムネイル画像表示時に一覧表示画像を生成する処理の流れを説明するフローチャートである。
【００５４】
Ｓ１１０１では、画像データ取得部３７aが、画像データを取得する。Ｓ１１０２では、サムネイル取得部３７ｃが、サムネイル画像を取得し、そのサムネイル画像を並べて表示した一覧表示画像を生成し、ハードディスクに保存する。
【００５５】
Ｓ１１０３では、画像加工部３７ｇがサムネイル一覧表示画像を記憶装置３６から読みだす。Ｓ１１０４では、日時情報読取部３７ｂが、画像データの日時情報を読み出す。Ｓ１１０５では、画像加工部３７ｇが、日時情報に基づいて撮影日時からの経過日数を算出し、その経過日数に応じたレベルのぼかし処理を一覧表示画像に含まれるサムネイル画像に対して行なう。
【００５６】
Ｓ１１０６では、表示制御部３７ｆが、ぼかし処理されたサムネイル画像の一覧表示画像を表示する。
【００５７】
上記第一実施形態と第二実施形態とを組み合わせ、撮影日時からの経過日数に応じてぼかし処理を施したサムネイル画像を、撮影時からの経過日数に応じて動きが制御されたテンプレートに画像合成して表示させても良い。またサムネイル画像は、ぼかし処理に加えて経過日数に応じて色を変えて表示しても良い。例えば、上記の例では経過日数１２０日では色を変化させずにぼかしレベル３としている。これに追加して、経過日数１２０日以上１５０日未満では、サムネイル画像をセピア調に変色させ、ぼかしレベル１とする。以後、１５０日以上１８０日未満ではセピア調に変色させてぼかしレベル２、１８０日以上２１０日未満ではセピア調に変色させぼかしレベル３、２１０日以上２４０日未満ではセピア調に変色させぼかしレベル４、２４０日以上２７０日未満では白黒調に変色させぼかしレベル１、２７０日以上３００日未満では白黒調に変色させぼかしレベル２、３００日以上３３０日未満では白黒調に変色させぼかしレベル２、３３０日以上３６０日未満では白黒調に変色させぼかしレベル３、３６０日以上であれば白黒に変色させぼかしレベル４としてもよい。
【００５８】
上記実施形態においては、本発明を電子アルバムサーバ１００に適用したが、本発明にかかる画像表示プログラムをパソコン（ＰＣ）にインストールし、パソコンのハードディスクに記録した画像データからサムネイル画像を取得し、そのサムネイル画像と動くテンプレートを合成したり、サムネイル画像にぼかし処理を加えてパソコンに接続されたディスプレイ装置に表示させることもできる。
【００５９】
また、テンプレートと合成しないサムネイル画像またはぼかし処理を施したサムネイル画像を動かしても良い。
【図面の簡単な説明】
【００６０】
【図１】本発明の実施形態に係る電子アルバムシステムのハードウェア構成例を示すブロック図
【図２】電子アルバムサーバの機能ブロック図
【図３】第一実施形態に係る電子アルバムサーバが実行するプログラムを示すブロック図
【図４】第一実施形態に係る電子アルバムサーバが表示するサムネイル一覧表示画像例
【図５】第一実施形態に係る電子アルバムサーバの処理の流れを示すフローチャート
【図６】撮影日時からの経過時間とテンプレートの動きとの関係を示す模式図
【図７】第二実施形態に係る電子アルバムサーバが実行するプログラムを示すブロック図
【図８】第二実施形態に係る電子アルバムサーバが表示するサムネイル一覧表示画像例
【図９】第二実施形態に係る電子アルバムサーバの処理の流れを示すフローチャート
【図１０】撮影日時からの経過時間とぼかしレベルとの関係を示す模式図
【図１１】第二実施形態に係る電子アルバムサーバの処理の流れを示すフローチャート
【符号の説明】
【００６１】
７：制御部、８：ＲＡＭ、９：ＥＥＰＲＯＭ、２３：通信Ｉ／Ｆ、２４：挿抜検出部、２５：プリンタ部、３１：表示Ｉ／Ｆ、３６：記憶装置、３７：画像処理部、４０：記憶媒体、４１：デジタルカメラ、４２：携帯電話、５０：テレビ、１００：電子アルバムサーバ
【図１】
2006243799.tif 000003
【図２】
2006243799.tif 000004
【図３】
2006243799.tif 000005
【図４】
2006243799.tif 000006
【図５】
2006243799.tif 000007
【図６】
2006243799.tif 000008
【図７】
2006243799.tif 000009
【図８】
2006243799.tif 000010
【図９】
2006243799.tif 000011
【図１０】
2006243799.tif 000012
【図１１】
2006243799.tif 000013